【手続補正書】
【提出日】令和3年7月30日(2021.7.30)
【手続補正１】
【補正対象書類名】特許請求の範囲
【補正対象項目名】全文
【補正方法】変更
【補正の内容】
【特許請求の範囲】
【請求項１】
建物に少なくとも部分的に結合されるように構成された通信システムであって、
第１の位置において前記建物に結合され、第１のスピーカ及び第１のマイクロフォンを備える第１の通信デバイスと、
第２の位置において前記建物に結合され、第２のスピーカ及び第２のマイクロフォンを備える第２の通信デバイスであって、前記第１及び第２の通信デバイスが、第１の位置にいる訪問者が、第２の位置にいる第１の人と話すことを可能にするように通信可能に結合される第２の通信デバイスと、
前記第１のスピーカ及び前記第１のマイクロフォンに物理的に結合された部分を有し、無線通信を介して第１のリモートコンピューティングデバイスに通信可能に結合される第３の通信デバイスと
を備えた通信システム。
【請求項２】
前記第３の通信デバイスは、前記第１のリモートコンピューティングデバイスによって記録された第１の音声データを受信するように構成され、前記部分は、前記第１の音声データに基づいて前記第１のスピーカが第１の音を発するように、第１の電気接続を介して前記第１のスピーカに前記第１の音声データを配信するように構成され、
任意には、前記第３の通信デバイスは、前記第１の通信デバイスによって記録された第２の音声データを受信するように構成され、前記部分は、第２の電気接続を介して前記第１のマイクロフォンから前記第２の音声データを受信するように構成され、
前記第３の通信デバイスは、前記第１のリモートコンピューティングデバイスが前記第２の音声データに基づいて第２の音を発するように、前記第２の音声データを前記第１のリモートコンピューティングデバイスに送信するように構成され、
前記第１の通信デバイスは、第１のカメラを備え、前記第３の通信デバイスは、前記第１のカメラによって記録された第１の動画データを受信するように構成され、前記部分は、第３の電気接続を介して前記第１の動画データを受信するように構成され、前記第３の通信デバイスは、前記第１のリモートコンピューティングデバイスが、前記第１の動画データに基づいて第１の動画を表示するように、前記第１のリモートコンピューティングデバイスに前記第１の動画データを無線で送信するように構成される、音声データを受信するように構成される、
請求項１に記載のシステム。
【請求項３】
前記第１及び第３の通信デバイスは、前記建物の入口に配置され、
任意には、前記第２の通信デバイスは、前記建物内の住居ユニットに配置され、
更に、任意には、
前記システムは、前記訪問者に関する第１の警告を前記第２の通信デバイスに送信するように構成され、
前記システムは、前記訪問者に関する第２の警告を前記第１のリモートコンピューティングデバイスに送信するように構成され、
前記システムは、第２の人物が前記第１のリモートコンピューティングデバイスを介して前記第２の警告に応答したことを検出することに応答して、前記第１の警告を終了するように構成される、
請求項１に記載のシステム。
【請求項４】
前記システムは、前記訪問者に関する第１の警告を前記第２の通信デバイスに送信するように構成され、
前記システムは、前記訪問者に関する第２の警告を前記第１のリモートコンピューティングデバイスに送信するように構成され、
前記システムは、第１の人物が前記第２の通信デバイスを介して前記第１の警告に応答したことを検出することに応答して、前記第２の警告を終了するように構成される、請求項１に記載のシステム。
【請求項５】
前記第２の通信デバイスは、前記建物内の住居ユニット内に配置され、
前記第２の通信デバイスは、前記建物内の住居ユニット内に配置され、前記システムは、前記第１のリモートコンピューティングデバイスが住居ユニット内に配置されていないことを検出することに応答して、前記訪問者に関する警告を前記第１のリモートコンピューティングデバイスに送信するように構成される、請求項１に記載のシステム。
【請求項６】
前記第２の通信デバイスは、前記建物内の住居ユニット内に配置され、前記システムは、前記第１の人物が住居ユニット内に配置されていないことを検出することに応答して、前記訪問者に関する警告を前記第１のリモートコンピューティングデバイスに送信するように構成される、請求項１に記載のシステム。
【請求項７】
第３の場所で建物に結合された第４の通信デバイスをさらに備え、第４の通信デバイスは、第３のスピーカ及び第３のマイクロフォンを備え、第１及び第４の通信デバイスは、第１の場所に位置する訪問者が前記第３の場所で第３の人と話すことを可能にするように通信可能に結合され、
任意には、前記第４の通信デバイスは、前記第１及び第３の通信デバイスを介して第２のリモートコンピューティングデバイスに通信可能に結合され、
前記第３の通信デバイスは、前記第１の通信デバイス及び前記第３の通信デバイスのうちの少なくとも１つが、前記訪問者が、前記第４の通信デバイスが位置する住居ユニット、及び前記第４の通信デバイスが位置する住居ユニットの占有者のうちの少なくとも１つと話したいことを検出することに応答して、前記第２のリモートコンピューティングデバイスと前記第１の通信デバイスとの間の双方向音声通信を可能にするように構成される、請求項１に記載のシステム。
【請求項８】
建物に結合されるように構成されたドアベルシステムであって、前記システムは、
リモートコンピューティングデバイスと、
建物に結合され、リモートコンピューティングデバイスに通信可能に結合されたドアベルであって、
前記ドアベルは、
画像をキャプチャするように構成可能なカメラと、
音声を受信するように構成可能なマイクロフォンと、
前記建物の占有者に通知するために訪問者によって押されるように構成可能なボタンと、
前記建物に結合され、前記ドアベル及び前記リモートコンピューティングデバイスのうちの少なくとも１つに通信可能に結合されたロックであって、前記リモートコンピューティングデバイスによって受信された入力に応答してロック及びロック解除されるように構成可能なロックと
を備えるドアベル。
【請求項９】
前記建物は、マルチユニット建物であり、前記ロックは、前記建物のメインエントランスに隣接して結合されたメインロックであり、前記システムは、前記建物内の第１のアパートメントユニットの第１のドアに結合され、前記ドアベル及び前記リモートコンピューティングデバイスのうちの少なくとも１つに通信可能に結合された第１のロックをさらに備え、前記第１のロックは、前記リモートコンピューティングデバイスによって受信された第２の入力に応答してロック及びロック解除されるように構成可能である、請求項８に記載のシステム。
【請求項１０】
前記リモートコンピューティングデバイスは第１のリモートコンピューティングデバイスであり、前記システムは、
ドアベルに通信可能に結合される第２のリモートコンピューティングデバイスと、
建物内の第２のアパートメントユニットの第２のドアに結合され、前記ドアベル及び第２のリモートコンピューティングデバイスのうちの少なくとも１つに通信可能に結合される第２のロックと
を更に備え、
前記第２のロックは、前記第２のリモートコンピューティングデバイスによって受信された第３の入力に応答してロック及びロック解除されるように構成可能である、請求項９に記載のシステム。
【請求項１１】
前記リモートコンピューティングデバイス、前記ドアベル、前記第１のロック、及び前記第２のロックのうちの少なくとも１つに通信可能に結合されたリモートサーバをさらに備え、
前記サーバは、複数のインターネットプロトコルアドレスを格納し、それによって、前記ドアベルのインターネットプロトコルアドレスに基づいて前記ドアベルの位置を決定するように構成可能であり、
任意には、前記サーバは、音声データを記憶し、それによって、前記マイクロフォンによって受信された前記音声に基づいて前記訪問者のアイデンティティを決定するようにさらに構成可能である、
請求項９に記載のシステム。
【請求項１２】
前記メインロックは、第１のフォームファクタを定義し、前記第１のロックは、前記第１のフォームファクタとは異なる第２のフォームファクタを定義する、請求項９に記載のシステム。
【請求項１３】
前記メインロックは、第１のフォームファクタを定義し、前記第１のロックは、前記第１のフォームファクタと実質的に同一である第２のフォームファクタを定義する、請求項９に記載のシステム。
【請求項１４】
前記ドアベルシステムは、顔認識データをキャプチャし、前記顔認識データに基づいて前記訪問者のアイデンティティを決定するように配置され、構成される、請求項８に記載のシステム。
【請求項１５】
前記ドアベルシステムは、音声認識データをキャプチャし、前記音声認識データに基づいて前記訪問者のアイデンティティを決定するように配置され、構成される、請求項８に記載のシステム。